(57)【特許請求の範囲】
【請求項１】
全体の形状がカップ状で、そのカップの底板である外板を外側にして扉の外面に装着されるシリンダ筒と、上記外板に開口した内筒挿通孔に内筒の先端部を挿入した状態でシリンダ筒に内蔵されるシリンダ錠と、上記シリンダ筒の外側に配設された浅いカップ状の部材で、中央に鍵のステムが挿入されるのに充分な大きさの開口を形成すると共に、裏面側に円形の内側凹部を形成し、上記浅いカップの開口を外側にし、内側凹部にシリンダ錠内筒の先端部を挿入した状態で、キーとキー溝、或いはスプライン方式等により、シリンダ錠の内筒と円周方向に拘束されて内筒に連結されたホルダーと、上記外板及びホルダーの外周面の外方に嵌着された飾り筒とを有し、上記ホルダー内に、互いに対称な二枚の厚板状の羽根を内筒の鍵孔と平行乃至３０°傾斜した面を係脱面として開閉可能に取付けると共に、これら一対の係脱面が相互に接合する方向に付勢し、一方、二枚の羽根の正面には、羽根が閉じている常態で円錐形となる凹部を形成したことを特徴とするシリンダ錠の鍵孔シャッター。
【発明の詳細な説明】
【０００１】
【発明の属する技術分野】
この発明は、建物の扉口に使用されるシリンダ錠の鍵孔シャッター（以下単にシャッターという）に関する。
【０００２】
【従来の技術】
建物の出入口のドアの錠には鍵孔を開閉するためのシャッターは一般的には設備されていない。
【０００３】
それは、出入口は玄関のひさしの下にあって、通常は雨、雪等の浸入を防止することができることにもよるが、小さなシリンダ錠に鍵孔のシャッターを組込むことが困難だったことが大きな理由である。
【０００４】
一方、建物の出入口のドアの錠については、最近、ピッキングと称する犯罪が多発し、甚大な被害が生じている。
【０００５】
【発明が解決しようとする課題】
扉口のシリンダ錠については、直接雨が鍵孔に進入することはないとしても、長期間の使用により塵埃がシリンダ錠内に侵入し、タンブラーの動きが渋くなる、ということはしばしば経験するところである。
【０００６】
また、ピッキングの被害が多くなった現在、そのピッキングを有効に防止できるシリンダ錠の開発が望まれている。
【０００７】
そこで、この発明は、シリンダ錠内に塵埃が侵入しないシャッターを提供し、シリンダ錠の長期間にわたる安定した作動を保証すると共に、ピッキングに対しても有効に抵抗することを目的としている。
【０００８】
【課題を解決するための手段】
上記の目的を達成するため、この発明は、全体の形状がカップ状で、そのカップの底板である外板を外側にして扉の外面に装着されるシリンダ筒と、上記外板に開口した内筒挿通孔に内筒の先端部を挿入した状態でシリンダ筒に内蔵されるシリンダ錠と、上記シリンダ筒の外側に配設された浅いカップ状の部材で、中央に鍵のステムが挿入されるのに充分な大きさの開口を形成すると共に、裏面側に円形の内側凹部を形成し、上記浅いカップの開口を外側にし、内側凹部にシリンダ錠内筒の先端部を挿入した状態で、キーとキー溝、或いはスプライン方式等により、シリンダ錠の内筒と円周方向に拘束されて内筒に連結されたホルダーと、上記外板及びホルダーの外周面の外方に嵌着された飾り筒とを有し、上記ホルダー内に、互いに対称な二枚の厚板状の羽根を内筒の鍵孔と平行乃至３０°傾斜した面を係脱面として開閉可能に取付けると共に、これら一対の係脱面が相互に接合する方向に付勢し、一方、二枚の羽根の正面には、羽根が閉じている常態で円錐形となる凹部を形成したことを特徴とする。
【０００９】
【実施例】
以下、図面に示す実施例に基づいて、この発明について説明する。
図１に示すように、シリンダ錠１は、通常、シリンダ筒２を介して錠箱３に装着される。
【００１０】
シリンダ筒２は、開口端縁部の外側に例えば一対の連結片、４を突設したカップ状の部材で、各連結片４にはこれを水平に貫通する取付孔５が形成されている。
【００１１】
そして、シリンダ筒の外板（カップの底板）６に開口した内筒挿通孔７から内筒８を覗かせた状態でシリンダ錠１を収納し、止め輪９で抜け止めを施したシリンダ筒２を、錠箱３の側面及び扉１１を貫通させて室外に突出させる。
【００１２】
錠箱３内に残ったシリンダ筒２の開口端縁部は、上記連結片の取付孔５を水平に貫通する装着杆１２、１２を介して錠箱３に坦持される。
【００１３】
なお、装着杆１２は錠箱３を貫通するようにして装着され、その両端は錠箱に坦持される。
【００１４】
また、図において符号１３は外観形状が穴開き台形の化粧リングを示し、この化粧リング１３は、通常、シリンダ筒の外周部に巻装された圧縮コイルばねとしてのリングばね１４の弾力により、その開口基部が扉１１の外面に弾圧されるように装着される。
【００１５】
シリンダ筒２の外板６の外側（向って左側）には、ホルダー１５が内筒８と一体に回動可能に取付けられている。
【００１６】
このホルダー１５は浅いカップ状の部材で、裏面には円形の内側凹部１６が形成されて内筒の先端部が挿入され、キーとキー溝、或いはスプライン方式等により、ホルダー１５と内筒８とは互いに円周方向に拘束されて連結されている。
【００１７】
また、ホルダーの前面には図２に示されるように、後述するシャッター２０の羽根２１、２２が収納される外側凹部１７が形成されている。
【００１８】
更にまた、上記の内側及び外側凹部１６、１７を連結するようにして、ホルダー１５の中央には鍵のステム４０が挿入されるのに充分な大きさの開口１８が形成されている。
【００１９】
一方、上記シャッター２０は二枚の厚板状の羽根２１、２１から構成されている（図２、図３及び図４参照）。
【００２０】
各羽根２１は、円弧状の外形面２２と直線状の係脱面２３を有するレンズシャッターの羽根に類似した形状の羽根で、表面には係脱面２３の中央を頂点とする円錐形の凹部２４が形成されていて、鍵のステムの挿入を案内するようになっている（図４参照）。
【００２１】
また、シャッターが閉じている常態に於ける係脱面２３の向きは、図２と図３を比較すると容易に分かるように、係脱面２３は鍵孔４１の水平な長辺に対して反時計方向に約１５度の角度をもって傾斜している。
【００２２】
更にまた、各羽根２１の基端の裏側にはピン２５が突設され、このピンはホルダーの一端に形成された孔中に嵌装されており、したがって各羽根２１はピン２５の回りを回動可能に支承されている。
【００２３】
また、各羽根２１の基部には、例えばロータリーディスクタンブラーのように、円弧状の凹部が形成されていて、この凹部に板ばね２６の一端が装着され、他端はホルダーの凹部１７の内面に圧接されている。
【００２４】
この板ばね２６の弾力により、各羽根２１は図で反時計方向、すなわち、一対の係脱面２３、２３が相互に弾接する方向に付勢されるので、常態では、係脱面２３、２３は閉じている（図２参照）。
【００２５】
一方、外板６及びホルダー１５の外周面の外方にはスペーサリング３１を介して薄肉カップ状の飾り筒３２が嵌装されていて、この飾り筒３２により羽根の脱落が防止されており、また、飾り筒３２の底面中央には鍵のステム４０を挿通するのに充分な大きさの開口３３が形成されている。
【００２６】
また、スペーサリング３１及び飾り筒の基部３２は符号３４で示すカシメ止めによりシリンダ筒２の外周面に固定されている。
【００２７】
上記のように構成されたこの発明の一実施例によるシャッターは、シャッター２０は鍵のステム４０を挿入しない常態においては、図２に示すように、各羽根の係脱面２３が互いに弾接した状態で閉じており、外部から雨、雪や塵埃等の浸入を防止している。
【００２８】
ここで、図１に示すように、鍵のステム４０の向きを内筒８の鍵孔４１に合わせて矢印に示す方向に押動すると、図７及び図８に示すように、ステムの先端が円錐形の凹部２４に当接し、両者の間に生じる楔作用により水平分力が発生する。
【００２９】
この水平分力により、各羽根２１は板ばね２６の弾力に抗して、かつピン２５を中心にして時計方向に回動され、シャッターが開かれた状態となり、ステムは鍵孔４１内に挿入される。
【００３０】
ステム４０のシャッターへの挿入時、羽根の係脱面２３はステム４０或いは鍵孔４１の向きとほぼ平行であるから、ステムの挿入は容易である。
【００３１】
ここで、鍵のステムを回動させると、内筒及びシャッターはともに回動され、テールピース１９も回動されて施解錠操作が行われる。
【００３２】
一方、このシャッター付のシリンダ錠を所謂ピッキングによって不正に解錠しようとする場合には、小さい鍵孔からタンブラーを操作する細い工具と内筒を一定方向に付勢する工具を挿入した状態で、羽根を開いた状態にしておく工具或いは操作が必要となるので、ピッキングが非常に困難となる。
【００３３】
他方、羽根２１の係脱面２３と鍵孔４１の向きの関係について考察すると、図９では係脱面２３が鍵孔４１と平行であり、図１１では係脱面が鍵孔に対して時計方向に３０度傾斜しており、図１３では係脱面が鍵孔に対して時計方向に１５度傾斜して形成されている。
【００３４】
図９に示す場合には傾斜面と鍵孔が平行のためステムの挿入が容易であるという利点があるが、図１０に示すように羽根２１、２１が開いたときに、羽根の開きが鍵孔に対して時計方向に傾斜するため、羽根の回動角を大きくする必要がある。
【００３５】
一方、図１１に示す場合には係脱面が鍵孔に対して大きく傾斜しているため、ステムの挿入が図９の場合と比較して困難であり、かつ、図１２に示すように羽根が開かれた場合に、羽根の開きが鍵孔に対して反時計方向に傾斜して形成されるため、羽根の回動角を大きくする必要がある。
【００３６】
また、図１３に示す場合には、係脱面２３が鍵孔４１に対して反時計方向に約１５度傾斜しているため、ステムの挿入は図９の場合と比較してやや困難であるが、図１４に示すように羽根が開かれた場合に、羽根の開きが鍵孔に対して平行となるため、羽根の回動角を最小にすることができる。
【００３７】
従って、図１３に示す場合が実用上最適であるが、実験によれば図９に示す平行な場合及び図１３に示す３０度傾斜させたものも実用上は差支えないことが判っている。
【００３８】
【発明の効果】
以上の説明から明らかなように、この発明は、シリンダ錠の内筒の前面に二枚の羽根から成る開閉可能なシャッターを取付けたので、通常の状態では鍵孔内に雨、雪や埃の浸入を防止できると共に、最近多発しているピッキングによる不正解錠を困難にすることができるという効果を奏する。
【図面の簡単な説明】
【図１】この発明の一実施例によるシャッターを取付けたシリンダ錠の縦断面図。
【図２】飾り筒を取外して示すシャッターの正面図で、シャッターが閉じた状態を示す。
【図３】図２と同様のシャッターの正面図で、シャッターが開いた状態を示す。
【図４】シャッターの羽根の外観斜視図。
【図５】シリンダ錠の正面図で、シャッターが閉じた状態を示す。
【図６】図５と同様のシリンダ錠の正面図で、シャッターが開いた状態を示す。
【図７】鍵のステムをシャッターに挿入する状態を示す説明図。
【図８】図７と同じ説明図。
【図９】この発明の他の実施例によるシャッターの羽根の係脱面と鍵孔との向きの関係を示す線図的説明図で、シャッターが閉じた状態を示す。
【図１０】図９と同様の線図的説明図で、シャッターが開いた状態を示す。
【図１１】この発明の更に他の実施例によるシャッターの羽根の係脱面と鍵孔との向きの関係を示す線図的説明図で、シャッターが閉じた状態を示す。
【図１２】図１１と同様の線図的説明図で、シャッターが開いた状態を示す。
【図１３】この発明の別の実施例によるシャッターの羽根の係脱面と鍵孔との向きの関係を示す線図的説明図で、シャッターが閉じた状態を示す。
【図１４】図１３と同様の線図的説明図で、シャッターが開いた状態を示す。
【符号の説明】
１  シリンダ錠
２  シリンダ筒
３  錠箱
６  外板
８  内筒
１５  ホルダー
１６  内側凹部
１７  外側凹部
２０  シャッター
２１  羽根
２３  係脱面
２４  凹部
２５  ピン
２６  板ばね
４０  ステム
４１  鍵孔
【図１】
0004167821.tif 000002
【図２】
0004167821.tif 000003
【図３】
0004167821.tif 000004
【図４】
0004167821.tif 000005
【図５】
0004167821.tif 000006
【図６】
0004167821.tif 000007
【図７】
0004167821.tif 000008
【図８】
0004167821.tif 000009
【図９】
0004167821.tif 000010
【図１０】
0004167821.tif 000011
【図１１】
0004167821.tif 000012
【図１２】
0004167821.tif 000013
【図１３】
0004167821.tif 000014
【図１４】
0004167821.tif 000015